(57)【要約】【課題】香りの発生タイミングを映像と連動させることが可能な香り発生デバイスコントローラーを提供する。【解決手段】本発明の香り発生デバイスコントローラーは、映像コンテンツに含まれる字幕のテキストを抽出する字幕テキスト抽出部１００と、前記字幕テキスト抽出部１００により抽出された字幕のテキストに、所定の文字列が含まれるか否かを判断する判断部２００と、前記判断部２００によって所定の文字列が含まれると判断されると、前記所定の文字列からパラメーターを抽出するパラメーター抽出部３００と、前記パラメーター抽出部３００によって抽出されたパラメーターに応じて香り発生デバイス６００を制御する制御部４００と、を有することを特徴とする。【選択図】      図１
2013236241.tif 000002
【特許請求の範囲】
【請求項１】
映像コンテンツに含まれる字幕のテキストを抽出する字幕テキスト抽出部と、
前記字幕テキスト抽出部により抽出された字幕のテキストに、所定の文字列が含まれるか否かを判断する判断部と、
前記判断部によって所定の文字列が含まれると判断されると、前記所定の文字列からパラメーターを抽出するパラメーター抽出部と、
前記パラメーター抽出部によって抽出されたパラメーターに応じて香り発生デバイスを制御する制御部と、を有することを特徴とする香り発生デバイスコントローラー。
【請求項２】
前記香り発生デバイスは、
複数種の香料を貯える複数の貯溜部と、
前記複数の貯溜部に貯えられた香料を吐出する、前記複数の貯溜部のそれぞれに対応した複数の吐出部と、
前記複数の吐出部で吐出された香料を搬送する気流を発生させる気流発生部と、からなり、
前記制御部は、前記パラメーターに応じて、前記複数の吐出部のうち、香料の吐出を制御する吐出部を決定することを特徴とする請求項１に記載の香り発生デバイスコントローラー。
【請求項３】
前記制御部は、前記パラメーターに応じて、前記吐出部における吐出間隔、吐出量、吐出継続時間それぞれを制御することを特徴とする請求項２に記載の香り発生デバイスコントローラー。
【請求項４】
前記映像コンテンツが記録媒体にファイルの形で収録されており、
前記字幕テキスト抽出部は、前記ファイルを解析することで字幕のテキストを抽出することを特徴とする請求項１乃至請求項３のいずれか１項に記載の香り発生デバイスコントローラー。
【請求項５】
前記映像コンテンツは放送を受信することで取得されたものであり、
前記字幕テキスト抽出部は、前記放送に含まれる字幕情報から字幕のテキストを抽出することを特徴とする請求項１乃至請求項３のいずれか１項に記載の香り発生デバイスコントローラー。
【請求項６】
映像コンテンツに含まれる字幕のテキストから抽出されたパラメーターに応じて香り発生デバイスを制御する制御部を有することを特徴とする香り発生デバイスコントローラーと、
前記香り発生デバイスコントローラーに制御される香り発生デバイスと、
映像表示装置とを少なくとも含むシステム。
【発明の詳細な説明】
【技術分野】
【０００１】
本発明は、香りを発生させる香り発生デバイスを映像と連動させるように動作させる香り発生デバイスコントローラー、及びそのようなコントローラーを含むシステムに関する。
【背景技術】
【０００２】
香りを発生・放出させるデバイスに関しては、これまで種々の提案がなされており、またこのようなデバイスを、テレビ放送のビデオ信号などと映像に連動させて、香りを発生させる形で利用する技術についての提案もなされている。
【０００３】
特開２００６−２９２９４８号公報（特許文献１）においては、テレビで放送されるＣＭの音楽もしくは音声信号に対するパターンデータを抽出し、識別したパターンに対応する香りを発生させるようにした手法が開示されている。
【特許文献１】特開２００６−２９２９４８号公報
【発明の概要】
【発明が解決しようとする課題】
【０００４】
しかしながら、従来の技術では、識別音の検出に伴い３秒間のサンプリング処理が開始され、比較判定部で特徴パターンが抽出されると、これに応じた香りを発生させるようにしており、香り発生デバイスで香りを発生させるまでの処理時間が長くなり、映像と香りの発生タイミングとの間の連動性が低い、という問題があった。
【０００５】
また、従来の技術では、香り発生デバイスで香りを発生させるためのトリガーに識別音を用いるので、視聴者がこれに気づいてしまい違和感を覚える可能性がある、という問題もあった。
【課題を解決するための手段】
【０００６】
本発明は以上のような課題を解決するためのものであり、請求項１に係る発明は、映像コンテンツに含まれる字幕のテキストを抽出する字幕テキスト抽出部と、前記字幕テキスト抽出部により抽出された字幕のテキストに、所定の文字列が含まれるか否かを判断する判断部と、前記判断部によって所定の文字列が含まれると判断されると、前記所定の文字列からパラメーターを抽出するパラメーター抽出部と、前記パラメーター抽出部によって抽出されたパラメーターに応じて香り発生デバイスを制御する制御部と、を有することを特徴とする香り発生デバイスコントローラーである。
【０００７】
また、請求項２に係る発明は、請求項１に記載の香り発生デバイスコントローラーにおいて、前記香り発生デバイスは、複数種の香料を貯える複数の貯溜部と、前記複数の貯溜部に貯えられた香料を吐出する、前記複数の貯溜部のそれぞれに対応した複数の吐出部と、前記複数の吐出部で吐出された香料を搬送する気流を発生させる気流発生部と、からなり、前記制御部は、前記パラメーターに応じて、前記複数の吐出部のうち、香料の吐出を制御する吐出部を決定することを特徴とする。
【０００８】
また、請求項３に係る発明は、請求項２に記載の香り発生デバイスコントローラーにおいて、前記制御部は、前記パラメーターに応じて、前記吐出部における香料の種類と吐出量それぞれを制御することを特徴とする。
【０００９】
また、請求項４に係る発明は、請求項１乃至請求項３のいずれか１項に記載の香り発生
デバイスコントローラーにおいて、前記映像コンテンツが記録媒体にファイルの形で収録されており、前記字幕テキスト抽出部は、前記ファイルを解析することで字幕のテキストを抽出することを特徴とする。
【００１０】
また、請求項５に係る発明は、請求項１乃至請求項３のいずれか１項に記載の香り発生デバイスコントローラーにおいて、前記映像コンテンツは放送を受信することで取得されたものであり、前記字幕テキスト抽出部は、前記放送に含まれる字幕情報から字幕のテキストを抽出することを特徴とする。
【００１１】
また、請求項６に係る発明は、少なくとも、映像コンテンツに含まれる字幕のテキストから抽出されたパラメーターに応じて香り発生デバイスを制御する制御部を有することを特徴とする香り発生デバイスコントローラーと、前記香り発生デバイスコントローラーに制御される香り発生デバイスと、映像表示装置とで構成されるシステムである。
【発明の効果】
【００１２】
本発明の香り発生デバイスコントローラーにおいては、映像コンテンツに含まれる字幕のテキストに挿入されている所定の文字列をトリガーとして、香り発生デバイスを制御するので、本発明の香り発生デバイスコントローラーによれば、任意のタイミングで香りを発生させることができ、香りの発生タイミングを映像と連動させることが可能となる。
【００１３】
また、映像コンテンツに含まれる字幕については、必ずしも全ての視聴者が利用するものではないので、このような映像コンテンツの字幕中に香り発生デバイスを制御する所定の文字列を挿入したとしても、視聴者に違和感を与える可能性は極めて低い。
【図面の簡単な説明】
【００１４】
【図１】本発明の実施形態に係る香り発生デバイスコントローラーの概要を説明する図である。
【図２】本発明の実施形態に係る香り発生デバイスコントローラーが制御する香り発生デバイス６００の概要を示す模式図である。
【図３】本発明の実施形態に係る香り発生デバイスコントローラーで用いられる制御テーブル５００のデータ構成例を示す図である。
【図４】制御テーブル５００における吐出間隔を説明する図である。
【図５】本発明の他の実施形態に係る香り発生デバイスコントローラーの概要を説明する図である。
【図６】本発明の実施形態に係る概要図である。
【発明を実施するための形態】
【００１５】
以下、本発明の実施の形態を図面を参照しつつ説明する。
【００１６】
図６は、本発明の実施に係る概要図である。香り発生デバイスコントローラー１０は、香り発生デバイス６００と接続されており、同時に映像表示装置２０も香り発生デバイスコントローラー１０に接続されている。また、図６においては、香り発生デバイスコントローラー１０は、映像コンテンツ再生装置４０及び受信装置５０と無線通信接続されている。
【００１７】
映像コンテンツ再生装置４０または受信装置５０は、映像コンテンツを再生または受信し、その情報を香り発生デバイスコントローラー１０と映像表示装置２０に同時に送信する。香り発生デバイスコントローラー１０は、映像コンテンツ中に含まれる字幕情報を解析して、香り発生デバイス６００を制御するために必要なパラメーターを抽出する。映像コンテンツ再生装置４０として、例えばＤＶＤ再生装置やビデオ再生装置などをあげるこ
とができる。また受信装置５０として、例えばＴＶアンテナをあげることができる。
【００１８】
図６で、香り発生デバイスコントローラー１０、映像表示装置２０、香り発生デバイス６００はそれぞれ独立して表示されているが、この構成に限られるものではない。映像コンテンツ再生装置４０または受信装置５０も、どの装置に接続されていてもよい。例えば、香り発生デバイスコントローラー１０と香り発生デバイス６００が同一装置として構成されてもよいし、香り発生デバイス６００が映像表示装置２０に作りこまれていてもよい。また各構成装置内の通信は、有線に限らず無線や赤外線などを使用してもよい。映像コンテンツ再生装置４０や受信装置５０も、無線に限らず赤外線や有線で接続してもよい。
【００１９】
図１は本発明の実施形態に係る香り発生デバイスコントローラーの概要を説明する図である。このような香り発生デバイスコントローラーは、ＣＰＵとＣＰＵ上で動作するプログラムを保持するＲＯＭとＣＰＵのワークエリアであるＲＡＭなどからなり、専用の装置やまたは汎用の情報処理装置によっても実現することが可能である。
【００２０】
図１における映像コンテンツは、映像情報とそれに関連する音声情報、字幕情報などを含むものであり、本実施形態では、例えば、ＤＶＤやブルーレイ（登録商標）などの規格に基づく記録媒体に、ファイルの形で格納されているものを想定している。ここで、本発明におけるファイルとは、ＤＶＤに記録されているものを例とすると、ＶＯＢ（Ｖｉｄｅｏ  ＯＢｊｅｃｔｓ）ファイルなどであり、ブルーレイ（登録商標）に記録されているものを例とすると、ＭＰＥＧ−２  ＴＳ（Ｔｒａｎｓｐｏｒｔ  Ｓｔｒｅａｍ）形式のファイルなどである。これらのファイルにおいては、映像と音声、字幕などがひとつのファイルにまとめられている。
【００２１】
字幕テキスト抽出部１００は、映像コンテンツに含まれる、前述したような各種のファイルの字幕情報から、字幕テキストを抽出するものであり、例えば、図１に示すように、字幕情報から“ここ群馬県の沼田市にあるラベンダーパークでは、初夏になると、およそ５万株の・・・・・・＆＆５  ラベンダーの香り  ５＆＆・・・・・・”なるテキストを抽出する。
【００２２】
判断部２００は、字幕テキスト抽出部１００により抽出された字幕のテキストに、所定の文字列が含まれるか否かを判断する。本実施形態において、香り発生デバイス６００の制御には、字幕中に記された特定の文字列を用いる。本実施例では、字幕のテキストに「＆＆（パラメーター）  （任意のテキスト）  （パラメーター）＆＆」という形式の文字列を香り発生デバイス６００の制御用の文字列とし、判断部２００は、このような文字列が字幕中に含まれているか否かを判断するが、本発明に用い得る文字列がこのようなものに限定されるものではない。本発明で用い得る文字列としては、字幕としては通常用いられる可能性が少ない文字列を用いる。たとえば、＆や＃などの特殊記号や特定の数字列などが該当する。また本実施例では、（任意のテキスト）を設けるようにしたが、このような（任意のテキスト）も必須の要件ではない。
【００２３】
図１に示す例においては、上記のような判断部２００で、字幕テキスト抽出部１００により抽出された字幕のテキスト中に、“＆＆５  ラベンダーの香り  ５＆＆”があるものと判断している。なお、本例では文字列中に（任意のテキスト）として「ラベンダーの香り」なるテキストを記載しておくことで、後述する香り発生デバイス６００における動作を視聴者に報知するようにしているが、このようにすることは必須の要件ではない。
【００２４】
パラメーター抽出部３００は、判断部２００によって所定の文字列が含まれると判断されると、所定の文字列からパラメーターを抽出するものであり、図１の例では、“＆＆５
ラベンダーの香り  ５＆＆”という文字列から、パラメーターである“５”を抽出して
いる。
【００２５】
制御部４００は、制御テーブル５００を参照することで、パラメーター抽出部３００によって抽出されたパラメーターに応じて香り発生デバイス６００を制御する。
【００２６】
ここで、制御部４００が制御する香り発生デバイス６００の概要について説明する。図２は本発明の実施形態に係る香り発生デバイスコントローラーが制御する香り発生デバイス６００の概要を模式的に示した図である。なお、香り発生デバイス６００としては、気流を発生する手段と香料をパルス吐出できるものであればどのようなタイプのデバイスでも実施可能である。
【００２７】
香り発生デバイス６００には、複数種の香料を貯える複数の貯溜部６１０が設けられている。本例では、貯溜部６１０が３つあり、３種類の香料を貯えるものを示している。なお、３種類のそれぞれの香料に関連する構成の参照番号には、それぞれサフィックスａ、ｂ、ｃを付することで、区別を付けるものとする。
【００２８】
本実施形態においては、貯溜部６１０ａにはローズマリーの香料が貯溜され、吐出部６２０ａからはローズマリーの香料が吐出され、貯溜部６１０ｂにはラベンダーの香料が貯溜され、吐出部６２０ｂからはラベンダーの香料が吐出され、貯溜部６１０ｃにはジャスミンの香料が貯溜され、吐出部６２０ｃからはジャスミンの香料が吐出されることが想定されている。
【００２９】
また、香り発生デバイス６００は、前記複数の貯溜部６１０に貯えられた香料を吐出する、前記複数の貯溜部６１０のそれぞれに対応した複数の吐出部６２０を有している。それぞれの吐出部６２０には、貯溜部６１０に貯えられた香料をパルス吐出させる吐出ノズル６３０が複数設けられており、吐出部６２０に入力される制御信号Ｓに基づいて、吐出ノズル６３０での香料の吐出が行われるようになっている。本実施形態においては、香料の吐出に用いる吐出ノズル６３０を選択することで、１回のパルスで吐出部６２０から吐出する香料の量を制御することが可能である。また、吐出ノズル６３０で香料を吐出するパルスの時間間隔を制御することでも、吐出部６２０からの香料の吐出をコントロールすることができる。また、さらに、制御信号Ｓに基づいて、吐出ノズル６３０で香料をパルス吐出させ続ける時間(吐出継続時間)をコントロールすることも可能である。
【００３０】
なお、上記のような吐出部６２０としては、インクジェットプリンタで用いられているオンデマンド方式のバブルジェット（登録商標）方式のヘッドなどが用いることができ、これによれば、吐出される香料の量を数ピコリットル単位で制御することができる。
【００３１】
気流発生部６４０は、前記複数の吐出部６２０で吐出された香料を搬送する気流を発生させるものであり、例えば、構造が簡単で操作が容易な送風機（ファン）を用いることが好ましい。
【００３２】
なお、香り発生デバイス６００のより詳しい構成については、本発明者らによる特開２００９−８２２７３号公報、特開２００９−２８５０９８号公報、特開２０１１−１９５９２号公報、特開２０１１−２１５４６２号公報の記載を参照して援用するものとする。
【００３３】
次に、制御部４００が参照する制御テーブル５００の構成例について説明する。図３は本発明の実施形態に係る香り発生デバイスコントローラーで用いられる制御テーブル５００のデータ構成例を示す図である。
【００３４】
制御テーブル５００には、例えば、１から１２の「パラメーター」に対応した「香料種
別」、「吐出量」が設定されている。「吐出量」は「吐出継続時間」、「基本吐出量」、「吐出頻度」、「吐出ノズル数」で構成される。
【００３５】
制御テーブル５００における「香料種別」では香料を吐出する吐出部の指定を行う。
【００３６】
制御テーブル５００における「吐出継続時間」は、香料を吐出ノズル６３０から継続してパルス吐出させる時間Ｔを指定する。本実施形態における例では、制御テーブル５００における「吐出継続時間」では、一定の時間Ｔおよび２Ｔが設定され、２段階のみ指定し得るようになっているが、このような指定の段階数に制限があるわけではない。
【００３７】
制御テーブル５００における「吐出頻度」は、吐出部６２０の吐出部６３０から香料を吐出する時間間隔の指定を行うものである。図４は制御テーブル５００における吐出間隔を説明する図である。図４（Ａ）は香料を吐出ノズル６３０からパルス吐出させる吐出間隔が長い場合（吐出頻度少の場合）を示しており、図４（Ｂ）は香料を吐出ノズル６３０からパルス吐出させる吐出間隔が短い場合（吐出頻度多の場合）を示している。
【００３８】
本実施形態における制御テーブル５００では、図４（Ａ）、図４（Ｂ）の２段階の吐出間隔が定義されているが、制御テーブル５００で定義する吐出間隔の段階数は任意とすることができる。また、吐出時間の間で、吐出間隔は必ずしも一定である必要は無く、自由に設定できる。
【００３９】
また、制御テーブル５００における「基本吐出量」は、吐出部６２０の吐出ノズル６３０から吐出される香料の基本的な量を指定する。すなわち、吐出ノズル６３０から香料がパルス吐出されるときの、パルス１回あたりの香料の量Ｌを指定する。図４で、図４（Ａ）では基本吐出量が大きく、図４（Ｂ）では基本吐出量を小さくしている。本実施形態における例では、制御テーブル５００における「基本吐出量」は、大、中、小の３段階の指定を行い得ることになっているが、このような指定の段階に制限があるわけでなく、任意の設定が可能であり、またさらに細かな段階を設けてもよい。
【００４０】
また、制御テーブル５００における「吐出ノズル数」は、吐出部６２０で吐出に利用する吐出ノズル６３０の数を指定する。これにより、１回のパルスで吐出部６２０から吐出する香料の量を制御することが可能となる。本実施形態における例では、制御テーブル５００における「吐出ノズル数」では、「全ての吐出ノズル」を用いるか、「半数の吐出ノズル」を用いるかの２段階の指定を行い得るようになっているが、このような指定の段階数に制限があるわけではない。
【００４１】
また、吐出量を「吐出継続時間」、「基本吐出量」、「吐出頻度」、「吐出ノズル数」で区別して制御しているのは、映像コンテンツにあわせて最適な香料の吐出を実現させるためであって、制御の区分は前記実施例に限られるわけではないことはいうまでもないし、また実施例のすべての区分が必要ではないこともまた自明である。さらに、図４では、香料吐出継続時間中の香料の量は一定量で吐出されているが、映像コンテンツに従った演出によって吐出継続時間中に吐出量が増減してもかまわない。
【００４２】
制御部４００においては、上記のような制御テーブル５００を参照することで、パラメーター抽出部３００によって抽出されたパラメーターに応じて香り発生デバイス６００を制御する。図１に示す例では、パラメーター抽出部３００によって抽出されたパラメーターが”５”であるので、制御テーブル５００を参照することで、吐出部＝６２０ｂ、吐出継続時間＝Ｔ、吐出頻度＝頻度少、基本吐出量＝大、吐出ノズル数＝半数のノズル、の設定で香り発生デバイス６００を制御する。
【００４３】
このように、本実施形態においては、制御部４００は、パラメーター抽出部３００によって抽出されたパラメーターに応じて、複数（ａ、ｂ、ｃ）の吐出部６２０のうち、香料の吐出を制御する吐出部を決定する。
【００４４】
また、本実施形態においては、制御部４００は、パラメーター抽出部３００によって抽出されたパラメーターに応じて、前記吐出部６２０における吐出間隔、基本吐出量、吐出継続時間、吐出ノズル数それぞれを制御することとなる。
【００４５】
以上、本発明の香り発生デバイスコントローラーにおいては、映像コンテンツに含まれる字幕のテキストに挿入されている所定の文字列をトリガーとして、香り発生デバイス６００を制御するので、本発明の香り発生デバイスコントローラーによれば、任意のタイミングで香りを発生させることができ、香りの発生タイミングを映像と連動させることが可能となる。
【００４６】
また、映像コンテンツに含まれる字幕については、必ずしも全ての視聴者が利用するものではないので、このような映像コンテンツの字幕中に香り発生デバイスを制御する所定の文字列を挿入したとしても、視聴者に違和感を与える可能性は極めて低い。また視聴者の嗜好により字幕が画面に表示されなかったとしても、字幕情報は映像コンテンツに含まれているので、字幕テキスト抽出部１００において字幕テキストを分離し判断部２００およびパラメーター抽出部３００においてパラメーターを抽出することが可能である。
【００４７】
以上は、前記の通り、ＤＶＤやブルーレイ（登録商標）などの規格に基づく記録媒体にファイルの形で格納された映像コンテンツから字幕テキストを分離し、パラメーターを抽出することを想定しているが、香り発生デバイス６００の制御は、無線通信で取得した映像コンテンツやデジタル放送などの放送を受信することで映像コンテンツを得ることによっても実現できる。この場合、受信した映像コンテンツに含まれる情報の中から、字幕テキスト抽出部１００により字幕テキストのみを分離し、判断部２００およびパラメーター抽出部３００にてパラメーターを抽出することが出来る。字幕テキスト抽出部１００には、専用チップなどのハードウエアを設けてもよい。
【００４８】
図５は本発明の他の実施形態に係る香り発生デバイスコントローラーの概要を説明する図である。図５において、字幕テキスト抽出部１００の構成のみが図１のものと異なる。その他の同様の参照番号が付された構成については、同様であるので説明を省略する。
【００４９】
図５において、映像コンテンツに含まれる字幕情報は、字幕描画部１１０によって一旦描画情報に置き換えられる。この描画情報は、次に文字認識部１２０において、例えば、ＯＣＲ（Ｏｐｔｉｃａｌ  Ｃｈａｒａｃｔｅｒ  Ｒｅｃｏｇｎｉｔｉｏｎ）法などの周知の文字認識技術を利用することで、テキスト化される。この手順により、字幕テキスト抽出部１００は、字幕情報から字幕のテキストを抽出する。一旦字幕テキストが得られれば、判断部２００およびパラメーター抽出部３００にてパラメーターを抽出することが出来、パラメーターが抽出できれば制御部４００は制御テーブル５００を参照し、香り発生デバイス６００を制御できる。
【００５０】
受信したデジタル放送を処理するＩＣの高集積化に伴い、放送に含まれる字幕情報から字幕のテキストを直接的に抽出することが困難となっている。そこで、図５で説明した実施形態により放送に含まれる字幕情報を描画情報とした上で、描画情報から文字認識技術によってテキストを得るようにすれば、放送から字幕のテキストを直接的に抽出することが出来なくても、香り発生デバイス６００を制御できる。また、放送に含まれる字幕情報を分離する専用のチップなどのハードウエアを準備すれば、図１の実施例のとおり香り発生デバイス６００を制御できることは言うまでもない。
【００５１】
以上のような他の実施形態によっても、これまで説明した実施形態と同様の効果を享受することが可能となる。
【符号の説明】
【００５２】
１０・・・香り発生デバイスコントローラー
２０・・・映像表示装置
４０・・・映像コンテンツ再生装置
５０・・・受信装置
１００・・・字幕テキスト抽出部
１１０・・・字幕描画部
１２０・・・文字認識部
２００・・・判断部
３００・・・パラメーター抽出部
４００・・・制御部
５００・・・制御テーブル
６００・・・香り発生デバイス
６１０・・・貯溜部
６２０・・・吐出部
６３０・・・吐出ノズル
６４０・・・気流発生部
【図１】
2013236241.tif 000003
【図２】
2013236241.tif 000004
【図３】
2013236241.tif 000005
【図４】
2013236241.tif 000006
【図５】
2013236241.tif 000007
【図６】
2013236241.tif 000008